(57)【要約】【課題】  外部のコンピュータを用いることなく設定可能な電話アダプタを提供する。【解決手段】  ＩＰ電話アダプタ１の処理部１１は、電話機４が接続されると、変換部１４へダイヤルトーン（発信音）の音声データを出力して、ＩＰ電話アダプタ１における設定操作の項目を示すメニュー画面を表示する表示指令を、ＰＣ５及び表示部１３へ出力し、識別部１５からＤＴＭＦ信号の所定の識別結果が入力されるまで待機する（Ｓ１０〜Ｓ３０）。所定の識別結果が入力されると、入力された識別結果が、項目の確定に対応づけられた符号「＃」であるか否かを判定し、符号「＃」でない場合には、識別結果に応じた表示指令を表示部１３及びＰＣ５へ出力する一方、識別結果が符号「＃」である場合には、確定した項目の処理を実行したのち、本処理を終了する（Ｓ３０〜Ｓ４５）。【選択図】図２
2007006009.tif 000002
【特許請求の範囲】
【請求項１】
電話機とネットワークとに接続され、予め設定されたプロトコルに基づき、前記ネットワークを介して、前記電話機と該電話機の通話対象との通話を確立する電話アダプタであって、
前記電話機から入力されるＤＴＭＦ（Dual  Tone  Multi-Frequency）信号に基づき、前記電話機におけるダイヤル操作の内容を識別するダイヤル操作識別手段と、
当該電話アダプタの設定を行う設定操作のうち、前記ダイヤル操作識別手段の識別結果に対応づけられた設定操作を行う設定操作手段と
を備えることを特徴とする電話アダプタ。
【請求項２】
前記設定操作に関わる情報を表示する情報表示手段
を備えることを特徴とする請求項１記載の電話アダプタ。
【請求項３】
前記ネットワーク上には、
前記電話機と前記通話対象との通話の開始及び通話の終了を制御するサーバ装置が設けられ、
当該電話アダプタは、
前記サーバ装置を利用するために必要な情報である利用情報を記憶する利用情報記憶手段
を備え、
前記設定操作手段は、
前記利用情報を前記利用情報記憶手段に設定することを前記設定操作の１つとする
ことを特徴とする請求項１又は請求項２記載の電話アダプタ。
【請求項４】
前記通話対象を記憶する通話対象記憶手段と、
該通話対象記憶手段に記憶された前記通話対象との通話を確立する記憶通話確立手段と
を備え、
前記設定操作手段は、
前記記憶通話確立手段を作動させるか否かを設定することを前記設定操作の１つとする
ことを特徴とする請求項１乃至請求項３いずれか記載の電話アダプタ。
【請求項５】
前記通話対象を記憶する通話対象記憶手段と、
該通話対象記憶手段に記憶された前記通話対象との通話を確立する記憶通話確立手段と
を備え、
前記設定操作手段は、
前記通話対象記憶手段に前記通話対象を設定することを前記設定操作の１つとする
ことを特徴とする請求項１乃至請求項４いずれか記載の電話アダプタ。
【請求項６】
前記通話対象を記憶する通話対象記憶手段と、
該通話対象記憶手段に記憶された前記通話対象との通話を確立する記憶通話確立手段と
を備え、
前記設定操作手段は、
前記記憶通話確立手段が通話を確立すべき前記通話対象を前記通話対象記憶手段に記憶された前記通話対象から選択することを前記設定操作の１つとする
ことを特徴とする請求項１乃至請求項５いずれか記載の電話アダプタ。
【請求項７】
前記通話対象からの音声データを記憶する音声データ記憶手段
を備え、
前記設定操作手段は、
前記音声データ記憶手段を作動させるか否かを設定することを前記設定操作の１つとする
ことを特徴とする請求項１乃至請求項６いずれか記載の電話アダプタ。
【請求項８】
前記音声データ記憶手段に記憶された前記音声データを音声出力する音声出力手段
を備え、
前記設定操作手段は、
前記音声出力手段を作動させるか否かを設定することを前記設定操作の１つとする
ことを特徴とする請求項７記載の電話アダプタ。
【請求項９】
前記音声データ記憶手段に記憶された前記音声データを音声出力する音声出力手段
を備え、
前記設定操作手段は、
前記音声出力手段が音声出力すべき前記音声データを前記音声データ記憶手段に記憶された前記音声データから選択することを前記設定操作の１つとする
ことを特徴とする請求項７又は請求項８記載の電話アダプタ。
【請求項１０】
当該電話アダプタが通話を確立したことのある前記通話対象を記憶する通話対象履歴手段と、
該通話対象履歴手段に記憶された前記通話対象との通話を確立する履歴通話確立手段と
を備え、
前記設定操作手段は、
前記履歴通話確立手段を作動させるか否かを設定することを前記設定操作の１つとする
ことを特徴とする請求項１乃至請求項９いずれか記載の電話アダプタ。
【請求項１１】
当該電話アダプタが通話を確立したことのある前記通話対象を記憶する通話対象履歴手段と、
該通話対象履歴手段に記憶された前記通話対象との通話を確立する履歴通話確立手段と
を備え、
前記設定操作手段は、
前記履歴通話確立手段が通話を確立すべき前記通話対象を前記通話対象履歴手段に記憶された前記通話対象から選択することを前記設定操作の１つとする
ことを特徴とする請求項１乃至請求項１０いずれか記載の電話アダプタ。
【請求項１２】
通話の確立を拒否すべき前記通話対象である拒否対象を記憶する拒否対象記憶手段と、
該拒否対象記憶手段に記憶された前記拒否対象との通話の確立を拒否する通話拒否手段と
を備え、
前記設定操作手段は、
前記拒否対象を前記拒否対象記憶手段に設定することを前記設定操作の１つとする
ことを特徴とする請求項１乃至請求項１１いずれか記載の電話アダプタ。
【請求項１３】
通話の確立を拒否すべき前記通話対象である拒否対象を記憶する拒否対象記憶手段と、
該拒否対象記憶手段に記憶された前記拒否対象との通話の確立を拒否する通話拒否手段と
を備え、
前記設定操作手段は、
前記通話拒否手段を作動させるか否かを設定することを前記設定操作の１つとする
ことを特徴とする請求項１乃至請求項１２いずれか記載の電話アダプタ。
【請求項１４】
前記通話対象との通話の転送先となる転送対象を記憶する転送対象記憶手段と、
該転送対象記憶手段に記憶された前記転送対象に前記通話対象との通話を転送する通話転送手段と
を備え、
前記設定操作手段は、
前記通話転送手段を作動させるか否かを前記設定操作の１つとする
ことを特徴とする請求項１乃至請求項１３いずれか記載の電話アダプタ。
【請求項１５】
前記通話対象との通話の転送先となる転送対象を記憶する転送対象記憶手段と、
該転送対象記憶手段に記憶された前記転送対象に前記通話対象との通話を転送する通話転送手段と
を備え、
前記設定操作手段は、
前記転送対象記憶手段に前記転送対象を設定することを前記設定操作の１つとする
ことを特徴とする請求項１乃至請求項１４いずれか記載の電話アダプタ。
【請求項１６】
前記電話機と端末装置とを対応づけた対応テーブルに基づき、前記電話機に対応づけられた前記端末装置に前記設定操作に関わる情報を表示させる表示指示手段
を備えることを特徴とする請求項１乃至請求項１５いずれか記載の電話アダプタ。
【発明の詳細な説明】
【技術分野】
【０００１】
本発明は、電話機とネットワークとに接続され、予め設定されたプロトコルに基づき、ネットワークを介して、電話機と該電話機の通話対象との通話を確立する電話アダプタに関する。
【背景技術】
【０００２】
従来より、電話機とＩＰネットワークとに接続され、ＩＰやＳＩＰ（Session Initiation Protocol）などのプロトコルに基づき、ＩＰネットワークを介して、電話機と該電話機の通話対象との通話を確立するＩＰ電話アダプタは、一般的に、当該ＩＰ電話アダプタに接続した外部のパーソナルコンピュータによって、当該ＩＰ電話アダプタの設定を行うように構成されている（例えば、非特許文献１を参照）。
【０００３】
より具体的には、ＩＰ電話アダプタは、例えば、電話機と該電話機の通話対象との通話の開始及び通話の終了を制御するためにＩＰネットワーク上に設けられたサーバ装置であるＳＩＰサーバを利用するために必要な情報（例えば、ＳＩＰサーバのアドレスなど）の設定などを当該ＩＰ電話アダプタに接続した外部のパーソナルコンピュータによって行うように構成されている。
【非特許文献１】「日経ＮＥＴＷＯＲＫ２００３年７月号」，株式会社日経ＢＰ，２００３年６月２２日発行Ｎｏ．３９，ｐ．８８〜ｐ．９０
【発明の開示】
【発明が解決しようとする課題】
【０００４】
ここで、上述のように、従来のＩＰ電話アダプタでは、パーソナルコンピュータを用いなければ、当該ＩＰ電話アダプタの設定を行うことができないため、設定作業の際には、わざわざパーソナルコンピュータを起動しなければならず、設定作業がその分面倒であるという問題点があった。
【０００５】
そこで、本発明は、上記問題点を解決するために、外部のコンピュータを用いることなく設定可能な電話アダプタを提供することを目的とする。
【課題を解決するための手段】
【０００６】
上記目的を達成するためになされた請求項１記載の発明は、電話機とネットワークとに接続され、予め設定されたプロトコルに基づき、ネットワークを介して、電話機と該電話機の通話対象との通話を確立する電話アダプタであって、電話機から入力されるＤＴＭＦ（Dual  Tone  Multi-Frequency）信号に基づき、電話機におけるダイヤル操作の内容を識別するダイヤル操作識別手段と、当該電話アダプタの設定を行う設定操作のうち、ダイヤル操作識別手段の識別結果に対応づけられた設定操作を行う設定操作手段とを備えることを特徴とする。
【０００７】
つまり、この電話アダプタでは、ダイヤル操作識別手段が、電話機から入力されるＤＴＭＦ信号に基づき、電話機におけるダイヤル操作の内容を識別し、設定操作手段が、ダイヤル操作識別手段の識別結果に対応づけられた設定操作を行うことにより、ユーザは、電話機のダイヤル操作によって当該電話アダプタの設定を行うことができる。
【０００８】
従って、本発明によれば、外部のコンピュータを用いることなく設定可能な電話アダプタを提供できる。
ここで、電話アダプタは、請求項２記載のように、設定操作に関わる情報を表示する情報表示手段を備えることが望ましい。
【０００９】
つまり、情報表示手段が、設定操作に関わる情報を表示することにより、ユーザは、情報を確認することによって、当該電話アダプタの設定を適切に行うことができる。
又、ネットワーク上に、電話機と通話対象との通話の開始及び通話の終了を制御するサーバ装置が設けられ、当該電話アダプタが、サーバ装置を利用するために必要な情報である利用情報を記憶する利用情報記憶手段を備えている場合には、請求項３記載のように、設定操作手段は、利用情報を利用情報記憶手段に設定することを設定操作の１つとすることが望ましい。
【００１０】
つまり、設定操作手段が、利用情報記憶手段に利用情報を設定することにより、ユーザは、電話機を用いて、サーバ装置を利用可能に当該電話アダプタを設定できる。
又、請求項４記載のように、電話アダプタは、通話対象を記憶する通話対象記憶手段と、該通話対象記憶手段に記憶された通話対象との通話を確立する記憶通話確立手段とを備え、設定操作手段は、記憶通話確立手段を作動させるか否かを設定することを設定操作の１つとすると良い。
【００１１】
つまり、設定操作手段が、記憶通話確立手段を作動させるか否かを設定することにより、ユーザは、電話機を用いて、当該電話アダプタに記憶された通話対象と通話するか否かを設定できる。そして、この電話アダプタは、通話対象を記憶し、記憶した通話対象との通話を確立する手段を備えていない電話機に好適に用いることができる。
【００１２】
尚、通話対象記憶手段は、通話対象の電話番号を記憶することで通話対象を記憶しても良いし、通話対象のネットワーク上のアドレスを記憶することで通話対象を記憶しても良い（以下、同様）。
【００１３】
又、請求項５記載のように、電話アダプタは、通話対象を記憶する通話対象記憶手段と、該通話対象記憶手段に記憶された通話対象との通話を確立する記憶通話確立手段とを備え、設定操作手段は、通話対象記憶手段に通話対象を設定することを設定操作の１つとすると良い。
【００１４】
つまり、設定操作手段が、通話対象記憶手段に通話対象を設定することにより、ユーザは、電話機を用いて、通話対象を当該電話アダプタに記憶させることができる。そして、この電話アダプタは、通話対象を記憶し、記憶した通話対象との通話を確立する手段を備えていない電話機に好適に用いることができる。
【００１５】
又、請求項６記載のように、電話アダプタは、通話対象を記憶する通話対象記憶手段と、該通話対象記憶手段に記憶された通話対象との通話を確立する記憶通話確立手段とを備え、設定操作手段は、記憶通話確立手段が通話を確立すべき通話対象を通話対象記憶手段に記憶された通話対象から選択することを設定操作の１つとすると良い。
【００１６】
つまり、設定操作手段が、通話対象記憶手段に記憶された通話対象のいずれかを選択することにより、ユーザは、電話機を用いて、当該電話アダプタに記憶された通話対象のいずれかを選択し、選択した通話対象と通話することができる。そして、この電話アダプタは、通話対象を記憶し、記憶した通話対象のいずれかを選択して、通話を確立する手段を備えていない電話機に好適に用いることができる。
【００１７】
又、請求項７記載のように、電話アダプタは、通話対象からの音声データを記憶する音声データ記憶手段を備え、設定操作手段は、音声データ記憶手段を作動させるか否かを設定することを設定操作の１つとすると良い。
【００１８】
つまり、設定操作手段が、音声データ記憶手段を作動させるか否かを設定することにより、ユーザは、電話機を用いて、通話対象からの音声を当該電話アダプタに適宜記憶させることができる。そして、この電話アダプタは、通話対象からの音声を記憶する手段を備えていない電話機に好適に用いることができる。
【００１９】
又、請求項８記載のように、電話アダプタは、音声データ記憶手段に記憶された音声データを音声出力する音声出力手段を備え、設定操作手段は、音声出力手段を作動させるか否かを設定することを設定操作の１つとすると良い。
【００２０】
つまり、設定操作手段が、音声出力手段を作動させるか否かを設定することにより、ユーザは、電話機を用いて、当該電話アダプタに記憶された音声を適宜聞くことができる。そして、この電話アダプタは、通話対象からの音声を記憶する手段を備えていない電話機に好適に用いることができる。
【００２１】
又、請求項９記載のように、電話アダプタは、音声データ記憶手段に記憶された音声データを音声出力する音声出力手段を備え、設定操作手段は、音声出力手段が音声出力すべき音声データを音声データ記憶手段に記憶された音声データから選択することを設定操作の１つとすると良い。
【００２２】
つまり、設定操作手段が、音声出力すべき音声データを選択することにより、ユーザは、電話機を用いて、当該電話アダプタに記憶された音声のうちのいずれかを適宜選択して、聞くことができる。そして、この電話アダプタは、通話対象からの音声を記憶する手段を備えていない電話機に好適に用いることができる。
【００２３】
又、請求項１０記載のように、電話アダプタは、当該電話アダプタが通話を確立したことのある通話対象を記憶する通話対象履歴手段と、該通話対象履歴手段に記憶された通話対象との通話を確立する履歴通話確立手段とを備え、設定操作手段は、履歴通話確立手段を作動させるか否かを設定することを設定操作の１つとすると良い。
【００２４】
つまり、設定操作手段が、履歴通話確立手段を作動させるか否かを設定することにより、ユーザは、電話機を用いて、当該電話アダプタが通話を確立したことのある通話対象と再度通話することができる。そして、この電話アダプタは、通話を確立したことのある通話対象を記憶し、記憶した通話対象との通話を確立する手段を備えていない電話機に好適に用いることができる。
【００２５】
尚、通話対象履歴手段は、通話対象の電話番号を記憶することで通話対象を記憶しても良いし、通話対象のネットワーク上のアドレスを記憶することで通話対象を記憶しても良い（以下、同様）。
【００２６】
又、請求項１１記載のように、電話アダプタは、当該電話アダプタが通話を確立したことのある通話対象を記憶する通話対象履歴手段と、該通話対象履歴手段に記憶された通話対象との通話を確立する履歴通話確立手段とを備え、設定操作手段は、履歴通話確立手段が通話を確立すべき通話対象を通話対象履歴手段に記憶された通話対象から選択することを設定操作の１つとすると良い。
【００２７】
つまり、設定操作手段が、通話対象履歴手段に記憶された通話対象のいずれかを選択することにより、ユーザは、電話機を用いて、当該電話アダプタが通話を確立したことのある通話対象のいずれかを選択し、選択した通話対象と再度通話することができる。そして、この電話アダプタは、通話を確立したことのある通話対象を記憶し、記憶した通話対象との通話を確立する手段を備えていない電話機に好適に用いることができる。
【００２８】
又、請求項１２記載のように、電話アダプタは、通話の確立を拒否すべき通話対象である拒否対象を記憶する拒否対象記憶手段と、該拒否対象記憶手段に記憶された拒否対象との通話の確立を拒否する通話拒否手段とを備え、設定操作手段は、拒否対象を拒否対象記憶手段に設定することを設定操作の１つとすると良い。
【００２９】
つまり、設定操作手段が、拒否対象を拒否対象記憶手段に設定することにより、ユーザは、電話機を用いて、拒否対象を当該電話アダプタに設定でき、拒否対象からの通話を拒否することができる。そして、この電話アダプタは、拒否対象を記憶し、拒否対象からの通話を拒否する手段を備えていない電話機に好適に用いることができる。
【００３０】
尚、拒否対象記憶手段は、拒否対象の電話番号を記憶することで拒否対象を記憶しても良いし、拒否対象のネットワーク上のアドレスを記憶することで拒否対象を記憶しても良い（以下、同様）。
【００３１】
又、請求項１３記載のように、電話アダプタは、通話の確立を拒否すべき通話対象である拒否対象を記憶する拒否対象記憶手段と、該拒否対象記憶手段に記憶された拒否対象との通話の確立を拒否する通話拒否手段とを備え、設定操作手段は、通話拒否手段を作動させるか否かを設定することを設定操作の１つとすると良い。
【００３２】
つまり、設定操作手段が、通話拒否手段を作動させるか否かを設定することにより、ユーザは、電話機を用いて、拒否対象からの通話を適宜拒否することができる。そして、この電話アダプタは、拒否対象を記憶し、拒否対象からの通話を拒否する手段を備えていない電話機に好適に用いることができる。
【００３３】
又、請求項１４記載のように、電話アダプタは、通話対象との通話の転送先となる転送対象を記憶する転送対象記憶手段と、該転送対象記憶手段に記憶された転送対象に通話対象との通話を転送する通話転送手段とを備え、設定操作手段は、通話転送手段を作動させるか否かを設定操作の１つとすると良い。
【００３４】
つまり、設定操作手段が、通話転送手段を作動させるか否かを設定することにより、ユーザは、電話機を用いて、通話対象からの通話を適宜転送することができる。そして、この電話アダプタは、通話対象からの通話を転送する手段を備えていない電話機に好適に用いることができる。
【００３５】
尚、転送対象記憶手段は、転送対象の電話番号を記憶することで転送対象を記憶しても良いし、転送対象のネットワーク上のアドレスを記憶することで転送対象を記憶しても良い（以下、同様）。
【００３６】
又、請求項１５記載のように、電話アダプタは、通話対象との通話の転送先となる転送対象を記憶する転送対象記憶手段と、該転送対象記憶手段に記憶された転送対象に通話対象との通話を転送する通話転送手段とを備え、設定操作手段は、転送対象記憶手段に転送対象を設定することを設定操作の１つとすると良い。
【００３７】
つまり、設定操作手段が、転送対象記憶手段に転送対象を設定することにより、ユーザは、電話機を用いて、転送対象を当該電話アダプタに記憶させることができる。そして、この電話アダプタは、通話対象からの通話を転送する手段を備えていない電話機に好適に用いることができる。
【００３８】
又、請求項１６記載のように、電話アダプタは、電話機と端末装置とを対応づけた対応テーブルに基づき、電話機に対応づけられた端末装置に設定操作に関わる情報を表示させる表示指示手段を備えると良い。
【００３９】
つまり、表示指示手段が、設定操作に関わる情報を端末装置に表示させるため、電話機に対応づけて端末装置が設置されていれば、ユーザは、端末装置にて情報を確認することによって、当該電話アダプタの設定を適切に行うことができる。
【００４０】
そして、この電話アダプタは、当該電話アダプタに複数の電話機を接続する場合に好適に用いることができる。
【発明を実施するための最良の形態】
【００４１】
以下に本発明の実施形態を図面と共に説明する。
まず、図１は、本発明を適用したＩＰ電話アダプタ１の機能ブロック図である。
図１に示すように、ＩＰ電話アダプタ１は、音声データを格納したＩＰパケットの生成やＩＰパケットからの音声データの抽出、ＩＰパケットのルーティング（経路制御）などの各種処理を統括して行う処理部１１と、インターネット２に接続され、処理部１１からインターネット２へと送出されるＩＰパケットをＭＡＣフレームに格納し、所定の周波数帯域からなる上りの伝送信号に重畳してインターネット２へ送信する一方、インターネット２から所定の周波数帯域からなる下りの伝送信号を受信し、受信した伝送信号からＭＡＣフレームを抽出すると共に、抽出したＭＡＣフレームからＩＰパケットを抽出して、処理部１１へ送出するモデム部１２とを備える。
【００４２】
又、ＩＰ電話アダプタ１は、処理部１１から出力される表示指令に応じた表示を行う表示部１３と、構内交換機（ＰＢＸ）３を介して、複数の電話機４ａ，４ｂ，４ｃ，…（以下、電話機４と総称する）のうちのいずれか１つと接続され、ＰＢＸ３を介して電話機４から入力される音声信号（アナログ形式）を音声データ（デジタル形式）に変換して処理部１１へ出力する一方、処理部１１から出力される音声データを音声信号に変換してＰＢＸ３へ出力する変換部１４とを備える。
【００４３】
又、ＩＰ電話アダプタ１は、ＰＢＸ３を介して、電話機４から入力されるＤＴＭＦ（Dual  Tone  Multi-Frequency）信号に基づき、電話機４におけるダイヤル操作の内容を識別し、その識別結果を処理部１１へ出力する識別部１５と、複数のパーソナルコンピュータ（ＰＣ）５ａ，５ｂ，５ｃ，…（以下、ＰＣ５と総称する）が接続されたローカルエリアネットワーク（ＬＡＮ）６に接続され、処理部１１からＬＡＮ６へと送出されるＩＰパケットをＭＡＣフレームに格納してＬＡＮ６へ送出する一方、ＬＡＮ６から受け取ったＭＡＣフレームからＩＰパケットを抽出して、処理部１１へ送出するインターフェイス（Ｉ／Ｆ）部１６とを備える。
【００４４】
即ち、ＩＰ電話アダプタ１は、ＶｏＩＰ（Voice  over  Internet  Protocol）に基づき、インターネット２を介して、電話機４と電話機４の通話対象との通話を確立するだけでなく、モデムやルータとしても機能するＶｏＩＰアダプタとして構成されている。
【００４５】
尚、ＩＰ電話アダプタ１における上述の各機能ブロックはそれぞれ、ＣＰＵやＲＯＭ、ＲＡＭなどの各種素子で構成された電子回路（つまり、ハードウェア）もしくはＣＰＵによる処理（つまり、ソフトウェア）によって実現されている。
【００４６】
又、電話機４は全て、数字の「０」〜「９」や、記号の「＊」，「♯」からなる１２種類の符号に対応づけられた１２個のプッシュボタンによってダイヤル操作を行う周知のプッシュ式電話機として構成されている。そして、識別部１５は、電話機４にて押下されたプッシュボタンの符号をダイヤル操作の内容として識別するように設定されている。
【００４７】
又、電話機４はそれぞれ、ＰＣ５のうちのいずれか１つに対応づけられ、対応づけられたＰＣ５付近に設置されている。
又、ＰＢＸ３は、電話機４から発呼信号を入力され、更に、その電話機４から所定の符号（本実施形態では、符号「０」）を示すＤＴＭＦ信号が入力されると、その電話機４のみをＩＰ電話アダプタ１に接続すると共に、その電話機４の内線番号を図示しない経路を介して処理部１１へ出力する。
【００４８】
又、インターネット２上には、ＳＩＰ（Session  Initiation  Protocol）に基づき、インターネット２を介して、電話機４と電話機４の通話対象との通話の開始及び通話の終了を制御するＳＩＰサーバ７と、インターネット電話サービスの１つであるＳｋｙｐｅ（登録商標）の起動時にユーザーの認証を行うログインサーバ８とが設けられている。但し、図１では、説明を簡略化するために、ＳＩＰサーバ７とログインサーバ８とが共にインターネット２上に設けられているが、正確には、ＳＩＰサーバ７については、ＩＰ電話アダプタ１とインターネット２とを接続するプロバイダのＩＰネットワーク（図示せず）上に設けられている。
【００４９】
以下、処理部１１が行う各種処理について詳述する。但し、本実施形態では、処理部１１が行う各種処理のうち、本発明に係る処理以外は、モデムやルータとしても機能する周知のＶｏＩＰアダプタが行う処理と同様であるため、以下では、本発明に係る処理についてのみ詳述する。
【００５０】
まず、図２は、処理部１１が実行する設定操作処理の流れを示すフローチャートである。尚、処理部１１は、ＰＢＸ３を介して、電話機４がＩＰ電話アダプタ１に接続されると本処理を実行する。
【００５１】
図２に示すように、本処理では、まず、変換部１４へダイヤルトーン（発信音）の音声データを出力したのち（Ｓ１０）、ＰＢＸ３から入力される内線番号に基づき、接続された電話機４に対応づけられたＰＣ５のＩＰアドレスを識別する（Ｓ１５）。より具体的には、処理部１１には、電話機４の内線番号と、電話機４に対応づけられたＰＣ５のＩＰアドレスとを対応づけた対応テーブルが予め設定されており、処理部１１は、この対応テーブルを参照することで、接続された電話機４に対応づけられたＰＣ５のＩＰアドレスを識別する。
【００５２】
そして、識別したＩＰアドレスのＰＣ５を表示指令の宛先に設定して（Ｓ２０）、ＩＰ電話アダプタ１における設定操作の項目を示すメニュー画面を表示する表示指令を、ＰＣ５及び表示部１３へ出力し（Ｓ２５）、識別部１５から所定の識別結果が入力されるまで待機する（Ｓ３０）。尚、本実施形態では、表示部１３及びＰＣ５には、表示指令に従って表示すべき各種画面のプログラムが予め設定されており、表示部１３及びＰＣ５は、Ｓ２５の処理に応じてメニュー画面を表示する。又、本実施形態のメニュー画面では、通話操作や登録操作、留守番電話操作、転送操作、着信拒否操作、サーバ設定操作が設定操作の項目としてメニュー画面の縦方向に並んで表示され、下線からなるカーソルが、選択されている項目の下部に表示されると共に、選択された項目が太字で表示される（図３参照）。
【００５３】
ここで、所定の識別結果が入力されると（Ｓ３０：Ｙｅｓ）、入力された識別結果が、項目の確定に対応づけられた符号であるか否かを判定する（Ｓ３５）。尚、ここでは、符号「２」，「８」，「＃」が所定の識別結果に設定されている。そして、符号「２」がカーソルの上方向の移動表示に対応づけられ、符号「８」がカーソルの下方向の移動表示に対応づけられ、符号「♯」が項目の確定に対応づけられている。
【００５４】
ここで、識別結果が符号「＃」でない場合には（Ｓ３５：Ｎｏ）、識別結果に応じた表示指令（つまり、カーソルの上方向もしくは下方向の移動表示の表示指令）を表示部１３及びＰＣ５へ出力し（Ｓ４０）、上述のＳ３０へ再度移行する。
【００５５】
一方、識別結果が符号「＃」である場合には（Ｓ３５：Ｙｅｓ）、確定した項目の処理を実行したのち（Ｓ４５）、本処理を終了する。
ここで、図４は、上述のＳ３５にて、確定した項目が通話操作である場合に、上述のＳ４５にて処理部１１が実行する通話操作処理の流れを示すフローチャートである。
【００５６】
図４に示すように、本処理では、まず、通話対象の電話番号を入力する電話番号入力や、ＩＰ電話アダプタ１に登録された電話番号もしくはＳｋｙｐｅ（登録商標）のアドレス情報のうちのいずれかから通話対象を選択する登録選択、通話時に登録した通話対象の電話番号やアドレス情報のうちのいずれかから通話対象を選択する履歴選択が設定操作の項目として表示された通話操作画面（図５（ａ）参照）の表示指令を表示部１３及びＰＣ５へ出力したのち（Ｓ１００）、所定の識別結果の入力があるまで待機する（Ｓ１０５）。尚、本実施形態の通話操作画面では、設定操作の項目が縦方向に並んで表示されており、ここでは、符号「２」，「８」，「＃」が所定の識別結果に設定され、各々が上述のようなカーソルの移動表示や項目の確定に対応づけられている。
【００５７】
そして、所定の識別結果の入力があると（Ｓ１０５：Ｙｅｓ）、識別結果が符号「＃」であるか否かを判定し（Ｓ１１０）、符号「＃」でない場合には（Ｓ１１０：Ｎｏ）、識別結果に応じた表示指令を表示部１３及びＰＣ５へ出力し（Ｓ１１５）、上述のＳ１０５へ再度移行する。
【００５８】
一方、識別結果が符号「＃」である場合には（Ｓ１１０：Ｙｅｓ）、確定した項目に応じた画面の表示指令を表示部１３及びＰＣ５へ出力したのち（Ｓ１２０）、所定の識別結果が入力されるまで待機する（Ｓ１２５）。尚、ここでは、確定した項目が電話番号入力である場合には、所定の識別結果として入力される符号「０」〜「９」を電話番号として表示する電話番号入力画面（図示せず）の表示指令を出力する。
【００５９】
又、確定した項目が登録選択である場合には、当該処理部１１に登録された通話対象を表示し、表示した通話対象のうちのいずれかを選択させる登録選択画面（図５（ｂ）を参照）の表示指令を出力する。より具体的には、本実施形態の登録選択画面では、登録された通話対象の頭文字を横方向に並べて表示すると共に、カーソルにより選択された頭文字を有する通話対象の名前を縦方向に並べて表示する。
【００６０】
又、確定した項目が履歴選択である場合には、通話時に登録した通話対象の電話番号やアドレス情報を表示し、表示した通話対象のうちのいずれかを選択させる履歴選択画面（図５（ｄ）を参照）の表示指令を出力する。より具体的には、本実施形態の履歴選択画面では、通話時に登録した電話番号やアドレス情報を縦方向に並べて表示する。
【００６１】
そして、所定の識別結果が入力されると（Ｓ１２５：Ｙｅｓ）、識別結果が符号「＃」であるか否かを判定し（Ｓ１３０）、識別結果が符号「＃」でない場合には（Ｓ１３０：Ｎｏ）、識別結果に応じた表示指令を表示部１３及びＰＣ５へ出力したのち（Ｓ１３５）、上述のＳ１２５へ再度移行する。尚、ここでは、電話番号入力画面の場合には、符号「０」〜「９」がそれぞれ、符号「０」〜「９」の表示に対応づけられ、符号「＃」が通話対象の確定（つまり、電話番号の確定）に対応づけられている。
【００６２】
又、登録選択画面の場合には、符号「２」がカーソルの上方向の移動表示に対応づけられ、符号「８」がカーソルの下方向の移動表示に対応づけられ、符号「４」がカーソルの左方向の移動表示に対応づけられ、符号「６」がカーソルの右方向の移動表示に対応づけられ、符号「♯」が通話対象の確定に対応づけられている。
【００６３】
又、履歴選択画面の場合には、符号「２」がカーソルの上方向の移動表示に対応づけられ、符号「８」がカーソルの下方向の移動表示に対応づけられ、符号「♯」が通話対象の確定に対応づけられている。
【００６４】
そして、Ｓ１３０にて、識別結果が符号「＃」である場合には（Ｓ１３０：Ｙｅｓ）、確定した通話対象との通話を確立し（Ｓ１４０）、通話対象との通話の終了に伴い、本処理を終了する。尚、ここでは、電話番号入力画面の場合には、表示した電話番号の通話対象との通話を確立する。
【００６５】
又、登録選択画面の場合には、確定した電話番号もしくはアドレス情報の通話対象との通話を確立する（図５（ｃ）を参照）。
又、履歴選択画面の場合には、確定した電話番号もしくはアドレス情報の通話対象との通話を確立する。
【００６６】
ここで、図６は、上述のＳ３５にて、確定した項目が登録操作である場合に、上述のＳ４５にて処理部１１が実行する登録操作処理の流れを示すフローチャートである。
図６に示すように、本処理では、まず、通話対象の新規登録や登録事項を変更する登録変更が設定操作の項目として表示された登録操作画面（図７を参照）を表示する表示指令を表示部１３及びＰＣ５へ出力したのち（Ｓ２００）、所定の識別結果の入力があるまで待機する（Ｓ２０５）。尚、本実施形態の登録操作画面では、設定操作の項目が縦方向に並んで表示されており、ここでは、符号「２」，「８」，「＃」が所定の識別結果に設定され、各々が上述のようなカーソルの移動表示や項目の確定に対応づけられている。
【００６７】
そして、所定の識別結果の入力があると（Ｓ２０５：Ｙｅｓ）、識別結果が符号「＃」であるか否かを判定し（Ｓ２１０）、符号「＃」でない場合には（Ｓ２１０：Ｎｏ）、識別結果に応じた表示指令を表示部１３及びＰＣ５へ出力し（Ｓ２１５）、上述のＳ２０５へ再度移行する。
【００６８】
一方、識別結果が符号「＃」である場合には（Ｓ２１０：Ｙｅｓ）、確定した項目に応じた画面の表示指令を表示部１３及びＰＣ５へ出力したのち（Ｓ２２０）、確定した項目が新規登録であるか否かを判定する（Ｓ２２５）。
【００６９】
ここで、確定した項目が新規登録である場合には（Ｓ２２５：Ｙｅｓ）、後述の新規登録処理を実行したのち（Ｓ２３０）、本処理を終了する一方、確定した項目が新規登録でない場合（つまり、登録変更である場合）には（Ｓ２２５：Ｎｏ）、後述の登録変更処理を実行したのち（Ｓ２３５）、本処理を終了する。
【００７０】
ここで、図８は、新規登録処理（Ｓ２３０）の流れを示すフローチャートである。
図８に示すように、本処理では、まず、登録する通話対象の名前を入力する名前入力画面（図９（ａ）を参照）の表示指令を表示部１３及びＰＣ５へ出力し（Ｓ３００）、所定の識別結果の入力があるまで待機する（Ｓ３０５）。
【００７１】
尚、ここでは、符号「０」〜「９」，「＊」，「＃」が所定の識別結果に設定されている。そして、符号「１」があ行，か行の平仮名及び片仮名の表示に対応づけられ、符号「２」がさ行，た行の平仮名及び片仮名とアルファベットの「Ａ」，「Ｂ」，「Ｃ」，「Ｄ」，「Ｅ」の大文字及び小文字の表示に対応づけられ、符号「３」がな行，は行の平仮名及び片仮名とアルファベットの「Ｆ」，「Ｇ」，「Ｈ」，「Ｉ」，「Ｊ」の大文字及び小文字の表示に対応づけられている。又、符号「４」がカーソルの左方向の移動表示に対応づけられ、符号「５」が空白文字（文字の消去）の表示に対応づけられ、符号「６」がカーソルの右方向の移動表示に対応づけられている。又、符号「７」がま行，や行の平仮名及び片仮名とアルファベットの「Ｋ」，「Ｌ」，「Ｍ」，「Ｎ」，「Ｏ」の大文字及び小文字の表示に対応づけられ、符号「８」がら行の平仮名及び片仮名とアルファベットの「Ｐ」，「Ｑ」，「Ｒ」，「Ｓ」，「Ｔ」の大文字及び小文字の表示に対応づけられ、符号「９」が「わ」，「を」，「ん」の平仮名及び片仮名とアルファベットの「Ｕ」，「Ｖ」，「Ｗ」，「Ｘ」，「Ｙ」，「Ｚ」の大文字及び小文字の表示に対応づけられている。又、符号「０」が、入力された平仮名及び片仮名の漢字の表示に対応づけられ、符号「＊」がハイフンなどの各種記号の表示に対応づけられ、符号「＃」が入力された名前の確定に対応づけられている。
【００７２】
そして、所定の識別結果の入力があると（Ｓ３０５：Ｙｅｓ）、識別結果が符号「＃」であるか否かを判定し（Ｓ３１０）、識別結果が符号「＃」でない場合には（Ｓ３１０：Ｎｏ）、識別結果に応じた表示指令を表示部１３及びＰＣ５へ出力し（Ｓ３１５）、上述のＳ３０５へ再度移行する。尚、Ｓ３０５にて、同一の識別結果が連続して入力されている場合には、Ｓ３１５では、予め設定された順序に従って、異なる文字の表示指令を出力する。つまり、例えば、符号「１」が連続して入力される毎に、処理部１１は、あ行，か行の平仮名及び片仮名を表示部１３及びＰＣ５に順番に表示させる。
【００７３】
一方、Ｓ３１０にて、識別結果が符号「＃」である場合には（Ｓ３１０：Ｙｅｓ）、電話番号を入力する電話番号入力画面（図９（ｂ）を参照）を表示する表示指令を表示部１３及びＰＣ５へ出力し（Ｓ３２０）、所定の識別結果が入力されるまで待機する（Ｓ３２５）。
【００７４】
尚、ここでは、符号「０」〜「９」，「＊」，「＃」が所定の識別結果に設定されている。そして、符号「０」〜「９」がそれぞれ、数字の「０」〜「９」の表示に対応づけられ、符号「＊」がカーソルの左方向の移動表示及び空白文字の表示に対応づけられ、符号「＃」が電話番号の確定に対応づけられている。
【００７５】
そして、所定の識別結果の入力があると（Ｓ３２５：Ｙｅｓ）、識別結果が符号「＃」であるか否かを判定し（Ｓ３３０）、識別結果が符号「＃」でない場合には（Ｓ３３０：Ｎｏ）、識別結果に応じた表示指令を表示部１３及びＰＣ５へ出力し（Ｓ３３５）、上述のＳ３２５へ再度移行する。
【００７６】
一方、識別結果が符号「＃」である場合には（Ｓ３３０：Ｙｅｓ）、アドレス情報を入力するアドレス情報入力画面（図９（ｃ）を参照）を表示する表示指令を表示部１３及びＰＣ５へ出力し（Ｓ３４０）、所定の識別結果が入力されるまで待機する（Ｓ３４５）。
【００７７】
尚、ここでは、符号「２」〜「９」，「＊」，「＃」が所定の識別結果に設定されている。そして、符号「２」がアルファベットの「Ａ」，「Ｂ」，「Ｃ」，「Ｄ」，「Ｅ」の大文字及び小文字の表示に対応づけられ、符号「３」がアルファベットの「Ｆ」，「Ｇ」，「Ｈ」，「Ｉ」，「Ｊ」の大文字及び小文字の表示に対応づけられている。又、符号「４」がカーソルの左方向の移動表示に対応づけられ、符号「５」が空白文字（文字の消去）の表示に対応づけられ、符号「６」がカーソルの右方向の移動表示に対応づけられている。又、符号「７」がアルファベットの「Ｋ」，「Ｌ」，「Ｍ」，「Ｎ」，「Ｏ」の大文字及び小文字の表示に対応づけられ、符号「８」がアルファベットの「Ｐ」，「Ｑ」，「Ｒ」，「Ｓ」，「Ｔ」の大文字及び小文字の表示に対応づけられ、符号「９」がアルファベットの「Ｕ」，「Ｖ」，「Ｗ」，「Ｘ」，「Ｙ」，「Ｚ」の大文字及び小文字の表示に対応づけられている。又、符号「＊」がハイフンなどの各種記号の表示に対応づけられ、符号「＃」がアドレス情報の確定に対応づけられている。
【００７８】
そして、所定の識別結果の入力があると（Ｓ３４５：Ｙｅｓ）、識別結果が符号「＃」であるか否かを判定し（Ｓ３５０）、識別結果が符号「＃」でない場合には（Ｓ３５０：Ｎｏ）、識別結果に応じた表示指令を表示部１３及びＰＣ５へ出力し（Ｓ３５５）、上述のＳ３４５へ再度移行する。尚、Ｓ３４５にて、同一の識別結果が連続して入力されている場合には、Ｓ３５５では、予め設定された順序に従って、異なる文字の表示指令を出力する。つまり、例えば、符号「２」が連続して入力される毎に、処理部１１は、「Ａ」〜「Ｅ」の大文字及び小文字を表示部１３及びＰＣ５に順番に表示させる。
【００７９】
一方、Ｓ３５０にて、識別結果が符号「＃」である場合には（Ｓ３５０：Ｙｅｓ）、確定した名前や電話番号、アドレス情報を当該処理部１１に登録して（Ｓ３６０）、本処理を終了する。
【００８０】
ここで、図１０は、登録変更処理（Ｓ２３５）の流れを示すフローチャートである。
図１０に示すように、本処理では、まず、当該処理部１１に登録されている通話対象の名前、電話番号、アドレス情報を読み出し（Ｓ４００）、読み出したこれら情報をＰＣ５へ出力すると共に（Ｓ４０５）、読み出した通話対象から変更対象を選択する登録変更画面（図１１（ａ）を参照）の表示指令を表示部１３及びＰＣ５へ出力し（Ｓ４１０）、所定の識別結果の入力があるまで待機する（Ｓ４１５）。より具体的には、本実施形態の登録変更画面では、登録された通話対象の頭文字を横方向に並べて表示すると共に、カーソルにより選択された頭文字を有する通話対象の名前を縦方向に並べて表示する。
【００８１】
又、ここでは、符号「２」，「４」，「６」，「８」，「＃」が所定の識別結果に設定されている。そして、符号「２」がカーソルの上方向の移動表示に対応づけられ、符号「４」がカーソルの左方向の移動表示に対応づけられ、符号「６」がカーソルの右方向の移動表示に対応づけられ、符号「８」がカーソルの下方向の移動表示に対応づけられ、符号「＃」が変更対象の確定に対応づけられている。
【００８２】
そして、所定の識別結果の入力があると（Ｓ４１５：Ｙｅｓ）、識別結果が符号「＃」であるか否かを判定し（Ｓ４２０）、識別結果が符号「＃」でない場合には（Ｓ４２０：Ｎｏ）、識別結果に応じた表示指令を表示部１３及びＰＣ５へ出力し（Ｓ４２５）、上述のＳ４１５へ再度移行する。
【００８３】
一方、識別結果が符号「＃」である場合には（Ｓ４２０：Ｙｅｓ）、カーソルにより選択された変更対象の電話番号を変更する電話番号変更画面（図１１（ｂ）を参照）の表示指令を表示部１３及びＰＣ５へ出力し（Ｓ４３０）、所定の識別結果の入力があるまで待機する（Ｓ４３５）。
【００８４】
尚、ここでは、符号「０」〜「９」，「＊」，「＃」が所定の識別結果に設定されている。そして、符号「０」〜「９」がそれぞれ、数字の「０」〜「９」の表示に対応づけられ、符号「＊」がカーソルの左方向の移動表示及び空白文字の表示に対応づけられ、符号「＃」が電話番号の確定に対応づけられている。
【００８５】
そして、所定の識別結果の入力があると（Ｓ４３５：Ｙｅｓ）、識別結果が符号「＃」であるか否かを判定し（Ｓ４４０）、識別結果が符号「＃」でない場合には（Ｓ４４０：Ｎｏ）、識別結果に応じた表示指令を表示部１３及びＰＣ５へ出力し（Ｓ４４５）、上述のＳ４３５へ再度移行する。
【００８６】
一方、識別結果が符号「＃」である場合には（Ｓ４４０：Ｙｅｓ）、変更対象のアドレス情報を変更するアドレス情報変更画面（図１１（ｃ）を参照）の表示指令を表示部１３及びＰＣ５へ出力し（Ｓ４５０）、所定の識別結果の入力があるまで待機する（Ｓ４５５）。
【００８７】
尚、ここでは、符号「２」〜「９」，「＊」，「＃」が所定の識別結果に設定されている。そして、符号「２」がアルファベットの「Ａ」，「Ｂ」，「Ｃ」，「Ｄ」，「Ｅ」の大文字及び小文字の表示に対応づけられ、符号「３」がアルファベットの「Ｆ」，「Ｇ」，「Ｈ」，「Ｉ」，「Ｊ」の大文字及び小文字の表示に対応づけられている。又、符号「４」がカーソルの左方向の移動表示に対応づけられ、符号「５」が空白文字（文字の消去）の表示に対応づけられ、符号「６」がカーソルの右方向の移動表示に対応づけられている。又、符号「７」がアルファベットの「Ｋ」，「Ｌ」，「Ｍ」，「Ｎ」，「Ｏ」の大文字及び小文字の表示に対応づけられ、符号「８」がアルファベットの「Ｐ」，「Ｑ」，「Ｒ」，「Ｓ」，「Ｔ」の大文字及び小文字の表示に対応づけられ、符号「９」がアルファベットの「Ｕ」，「Ｖ」，「Ｗ」，「Ｘ」，「Ｙ」，「Ｚ」の大文字及び小文字の表示に対応づけられている。又、符号「＊」がハイフンなどの各種記号の表示に対応づけられ、符号「＃」がアドレス情報の確定に対応づけられている。
【００８８】
そして、所定の識別結果の入力があると（Ｓ４５５：Ｙｅｓ）、識別結果が符号「＃」であるか否かを判定し（Ｓ４６０）、識別結果が符号「＃」でない場合には（Ｓ４６０：Ｎｏ）、識別結果に応じた表示指令を表示部１３及びＰＣ５へ出力し（Ｓ４６５）、上述のＳ４５５へ再度移行する。
【００８９】
一方、識別結果が符号「＃」である場合には（Ｓ４６０：Ｙｅｓ）、変更した電話番号、アドレス情報を当該処理部１１に登録したのち（Ｓ４７０）、本処理を終了する。
ここで、図１２は、上述のＳ３５にて、確定した項目が留守番電話操作である場合に、上述のＳ４５にて処理部１１が実行する留守番電話操作処理の流れを示すフローチャートである。
【００９０】
図１２に示すように、本処理では、まず、留守電話の設定や解除、録音した音声の再生を選択させる留守番電話設定画面（図１３（ａ）を参照）の表示指令を表示部１３及びＰＣ５へ出力したのち（Ｓ５００）、所定の識別結果の入力があるまで待機する（Ｓ５０５）。ここで、本実施形態の留守番電話設定画面では、「設定」、「解除」、「再生」といった項目を縦方向に並べて表示する。
【００９１】
又、ここでは、符号「２」，「８」，「＃」が所定の識別結果に設定されている。そして、符号「２」がカーソルの上方向の移動表示に対応づけられ、符号「８」がカーソルの下方向の移動表示に対応づけられ、符号「＃」が項目の確定に対応づけられている。
【００９２】
そして、所定の識別結果の入力があると（Ｓ５０５：Ｙｅｓ）、識別結果が符号「＃」であるか否かを判定し（Ｓ５１０）、識別結果が符号「＃」でない場合には（Ｓ５１０：Ｎｏ）、識別結果に応じた表示指令を表示部１３及びＰＣ５へ出力し（Ｓ５１５）、上述のＳ５０５へ再度移行する。
【００９３】
一方、識別結果が符号「＃」である場合には（Ｓ５１０：Ｙｅｓ）、確定された項目が「設定」、「解除」、「再生」のいずれであるかを判定する（Ｓ５２０）。
ここで、確定された項目が「設定」である場合には（Ｓ５２０：設定）、留守番電話が設定されている旨を示すために当該処理部１１に予め設定された留守電設定フラグをＯＮに設定し（Ｓ５２５）、本処理を終了する。
【００９４】
又、確定された項目が「解除」である場合には（Ｓ５２０：解除）、留守電設定フラグをＯＦＦに設定し（Ｓ５３０）、本処理を終了する。
又、確定された項目が「再生」である場合には（Ｓ５２０：再生）、録音された音声を選択させる録音選択画面（図１３（ｂ）を参照）の表示指令を表示部１３及びＰＣ５へ出力し（Ｓ５３５）、所定の識別結果の入力があるまで待機する（Ｓ５４０）。ここで、本実施形態の録音選択画面では、録音した音声を通話対象（後述する呼出要求の送信元）の電話番号やアドレス情報に対応づけて縦方向に並べて表示する。
【００９５】
又、ここでは、符号「２」，「８」，「＃」が所定の識別結果に設定されている。そして、符号「２」がカーソルの上方向の移動表示に対応づけられ、符号「８」がカーソルの下方向の移動表示に対応づけられ、符号「＃」が項目の確定に対応づけられている。
【００９６】
そして、所定の識別結果の入力があると（Ｓ５４０：Ｙｅｓ）、識別結果が符号「＃」であるか否かを判定し（Ｓ５４５）、識別結果が符号「＃」でない場合には（Ｓ５４５：Ｎｏ）、識別結果に応じた表示指令を表示部１３及びＰＣ５へ出力し（Ｓ５５０）、上述のＳ５４０へ再度移行する。
【００９７】
一方、識別結果が符号「＃」である場合には（Ｓ５４５：Ｙｅｓ）、カーソルにより選択された音声の音声データを当該処理部１１から読み出して（Ｓ５５５）、変換部１４へ出力したのち（Ｓ５６０）、本処理を終了する。
【００９８】
ここで、図１４は、上述のＳ３５にて、確定した項目が転送操作である場合に、上述のＳ４５にて処理部１１が実行する転送操作処理の流れを示すフローチャートである。
図１４に示すように、本処理では、まず、転送電話の設定や解除を選択させる転送電話設定画面（図１５（ａ）を参照）の表示指令を表示部１３及びＰＣ５へ出力したのち（Ｓ６００）、所定の識別結果の入力があるまで待機する（Ｓ６０５）。ここで、本実施形態の転送電話設定画面では、「設定」、「解除」といった項目を縦方向に並べて表示する。
【００９９】
又、ここでは、符号「２」，「８」，「＃」が所定の識別結果に設定されている。そして、符号「２」がカーソルの上方向の移動表示に対応づけられ、符号「８」がカーソルの下方向の移動表示に対応づけられ、符号「＃」が項目の確定に対応づけられている。
【０１００】
そして、所定の識別結果の入力があると（Ｓ６０５：Ｙｅｓ）、識別結果が符号「＃」であるか否かを判定し（Ｓ６１０）、識別結果が符号「＃」でない場合には（Ｓ６１０：Ｎｏ）、識別結果に応じた表示指令を表示部１３及びＰＣ５へ出力し（Ｓ６１５）、上述のＳ６０５へ再度移行する。
【０１０１】
一方、識別結果が符号「＃」である場合には（Ｓ６１０：Ｙｅｓ）、確定された項目が「設定」であるか否かを判定する（Ｓ６２０）。
ここで、確定された項目が「設定」でない場合（つまり、「解除」である場合）には（Ｓ６２０：Ｎｏ）、転送電話が設定されている旨を示すために当該処理部１１に予め設定された転送設定フラグをＯＦＦに設定し（Ｓ６２５）、本処理を終了する。
【０１０２】
一方、確定された項目が「設定」である場合には（Ｓ６２０：Ｙｅｓ）、転送設定フラグをＯＮに設定し（Ｓ６３０）、転送先の電話番号を入力する転送先入力画面（図１５（ｂ）を参照）の表示指令を表示部１３及びＰＣ５へ出力したのち（Ｓ６３５）、所定の識別結果の入力があるまで待機する（Ｓ６４０）。
【０１０３】
尚、ここでは、符号「０」〜「９」，「＊」，「＃」が所定の識別結果に設定されている。そして、符号「０」〜「９」がそれぞれ、数字の「０」〜「９」の表示に対応づけられ、符号「＊」がカーソルの左方向の移動表示及び空白文字の表示に対応づけられ、符号「＃」が電話番号の確定に対応づけられている。
【０１０４】
そして、所定の識別結果の入力があると（Ｓ６４０：Ｙｅｓ）、識別結果が符号「＃」であるか否かを判定し（Ｓ６４５）、識別結果が符号「＃」でない場合には（Ｓ６４５：Ｎｏ）、識別結果に応じた表示指令を表示部１３及びＰＣ５へ出力し（Ｓ６５０）、上述のＳ６４０へ再度移行する。
【０１０５】
一方、識別結果が符号「＃」である場合には（Ｓ６４５：Ｙｅｓ）、入力された電話番号を転送先として当該処理部１１に登録したのち（Ｓ６５５）、本処理を終了する。
ここで、図１６は、上述のＳ３５にて、確定した項目が着信拒否操作である場合に、上述のＳ４５にて処理部１１が実行する着信拒否操作処理の流れを示すフローチャートである。
【０１０６】
図１６に示すように、本処理では、まず、着信を拒否する通話対象の登録を電話番号で行うのかアドレス情報で行うのかを選択する着信拒否設定画面（図１７（ａ）を参照）の表示指令を表示部１３及びＰＣ５へ出力したのち（Ｓ７００）、所定の識別結果の入力があるまで待機する（Ｓ７０５）。ここで、本実施形態の着信拒否設定画面では、「電話番号入力」、「アドレス情報入力」といった項目を縦方向に並べて表示する。
【０１０７】
又、ここでは、符号「２」，「８」，「＃」が所定の識別結果に設定されている。そして、符号「２」がカーソルの上方向の移動表示に対応づけられ、符号「８」がカーソルの下方向の移動表示に対応づけられ、符号「＃」が項目の確定に対応づけられている。
【０１０８】
そして、所定の識別結果の入力があると（Ｓ７０５：Ｙｅｓ）、識別結果が符号「＃」であるか否かを判定し（Ｓ７１０）、識別結果が符号「＃」でない場合には（Ｓ７１０：Ｎｏ）、識別結果に応じた表示指令を表示部１３及びＰＣ５へ出力し（Ｓ７１５）、上述のＳ７０５へ再度移行する。
【０１０９】
一方、識別結果が符号「＃」である場合には（Ｓ７１０：Ｙｅｓ）、確定された項目が「電話番号入力」であるか否かを判定し（Ｓ７２０）、確定された項目が「電話番号入力」である場合には（Ｓ７２０：Ｙｅｓ）、電話番号を入力する電話番号入力画面（図１７（ｂ）を参照）の表示指令を表示部１３及びＰＣ５へ出力し（Ｓ７２５）、所定の識別結果の入力があるまで待機する（Ｓ７３０）。
【０１１０】
尚、ここでは、符号「０」〜「９」，「＊」，「＃」が所定の識別結果に設定されている。そして、符号「０」〜「９」がそれぞれ、数字の「０」〜「９」の表示に対応づけられ、符号「＊」がカーソルの左方向の移動表示及び空白文字の表示に対応づけられ、符号「＃」が電話番号の確定に対応づけられている。
【０１１１】
そして、所定の識別結果の入力があると（Ｓ７３０：Ｙｅｓ）、識別結果が符号「＃」であるか否かを判定し（Ｓ７３５）、識別結果が符号「＃」でない場合には（Ｓ７３５：Ｎｏ）、識別結果に応じた表示指令を表示部１３及びＰＣ５へ出力し（Ｓ７４０）、上述のＳ７３０へ再度移行する。
【０１１２】
一方、識別結果が符号「＃」である場合には（Ｓ７３５：Ｙｅｓ）、入力された電話番号を着信拒否の対象として当該処理部１１に登録したのち（Ｓ７４５）、本処理を終了する。
【０１１３】
一方、上述のＳ７２０にて、確定された項目が「電話番号入力」でない場合（つまり、「アドレス情報入力」である場合）には（Ｓ７２０：Ｎｏ）、アドレス情報を入力するアドレス情報入力画面（図１７（ｃ）を参照）の表示指令を表示部１３及びＰＣ５へ出力し（Ｓ７５０）、所定の識別結果の入力があるまで待機する（Ｓ７５５）。
【０１１４】
尚、ここでは、符号「２」〜「９」，「＊」，「＃」が所定の識別結果に設定されている。そして、符号「２」がアルファベットの「Ａ」，「Ｂ」，「Ｃ」，「Ｄ」，「Ｅ」の大文字及び小文字の表示に対応づけられ、符号「３」がアルファベットの「Ｆ」，「Ｇ」，「Ｈ」，「Ｉ」，「Ｊ」の大文字及び小文字の表示に対応づけられている。又、符号「４」がカーソルの左方向の移動表示に対応づけられ、符号「５」が空白文字（文字の消去）の表示に対応づけられ、符号「６」がカーソルの右方向の移動表示に対応づけられている。又、符号「７」がアルファベットの「Ｋ」，「Ｌ」，「Ｍ」，「Ｎ」，「Ｏ」の大文字及び小文字の表示に対応づけられ、符号「８」がアルファベットの「Ｐ」，「Ｑ」，「Ｒ」，「Ｓ」，「Ｔ」の大文字及び小文字の表示に対応づけられ、符号「９」がアルファベットの「Ｕ」，「Ｖ」，「Ｗ」，「Ｘ」，「Ｙ」，「Ｚ」の大文字及び小文字の表示に対応づけられている。又、符号「＊」がハイフンなどの各種記号の表示に対応づけられ、符号「＃」がアドレス情報の確定に対応づけられている。
【０１１５】
そして、所定の識別結果の入力があると（Ｓ７５５：Ｙｅｓ）、識別結果が符号「＃」であるか否かを判定し（Ｓ７６０）、識別結果が符号「＃」でない場合には（Ｓ７６０：Ｎｏ）、識別結果に応じた表示指令を表示部１３及びＰＣ５へ出力し（Ｓ７６５）、上述のＳ７５５へ再度移行する。
【０１１６】
一方、識別結果が符号「＃」である場合には（Ｓ７６０：Ｙｅｓ）、入力されたアドレス情報を着信拒否の対象として当該処理部１１に登録したのち（Ｓ７７０）、本処理を終了する。
【０１１７】
ここで、図１８は、上述のＳ３５にて、確定した項目がサーバ設定操作である場合に、上述のＳ４５にて処理部１１が実行するサーバ設定操作処理の流れを示すフローチャートである。
【０１１８】
図１８に示すように、本処理では、まず、ＳＩＰサーバ７に対する設定を行うのかログインサーバ８に対する設定を行うのかを選択するサーバ選択画面（図１９（ａ）を参照）の表示指令を表示部１３及びＰＣ５へ出力したのち（Ｓ８００）、所定の識別結果の入力があるまで待機する（Ｓ８０５）。ここで、本実施形態のサーバ選択画面では、「ＳＩＰサーバ」、「ログインサーバ」といった項目を縦方向に並べて表示する。
【０１１９】
又、ここでは、符号「２」，「８」，「＃」が所定の識別結果に設定されている。そして、符号「２」がカーソルの上方向の移動表示に対応づけられ、符号「８」がカーソルの下方向の移動表示に対応づけられ、符号「＃」が項目の確定に対応づけられている。
【０１２０】
そして、所定の識別結果の入力があると（Ｓ８０５：Ｙｅｓ）、識別結果が符号「＃」であるか否かを判定し（Ｓ８１０）、識別結果が符号「＃」でない場合には（Ｓ８１０：Ｎｏ）、識別結果に応じた表示指令を表示部１３及びＰＣ５へ出力し（Ｓ８１５）、上述のＳ８０５へ再度移行する。
【０１２１】
一方、識別結果が符号「＃」である場合には（Ｓ８１０：Ｙｅｓ）、確定された項目が「ＳＩＰサーバ」であるか否かを判定し（Ｓ８２０）、確定された項目が「ＳＩＰサーバ」である場合には（Ｓ８２０：Ｙｅｓ）、ＳＩＰサーバ７を利用するために必要な情報を入力するＳＩＰサーバ設定画面（図１９（ｂ）を参照）の表示指令を表示部１３及びＰＣ５へ出力する（Ｓ８２５）。
【０１２２】
そして、識別結果に応じた表示指令を表示部１３及びＰＣ５へ出力し（Ｓ８３０）、ＳＩＰサーバ７を利用するために必要な情報の入力が全て完了したか否かを判定する（Ｓ８３５）。ここで、本実施形態のＳＩＰサーバ設定画面では、例えば、ＳＩＰサーバ７の名称やユーザーＩＤ、パスワードなどをＳＩＰサーバ７を利用するために必要な情報として入力する。
【０１２３】
又、ここでは、例えば、ＳＩＰサーバ７の名称を入力する場合には、符号「２」〜「９」，「＊」，「＃」が所定の識別結果に設定されている。そして、符号「２」がアルファベットの「Ａ」，「Ｂ」，「Ｃ」，「Ｄ」，「Ｅ」の大文字及び小文字の表示に対応づけられ、符号「３」がアルファベットの「Ｆ」，「Ｇ」，「Ｈ」，「Ｉ」，「Ｊ」の大文字及び小文字の表示に対応づけられている。又、符号「４」がカーソルの左方向の移動表示に対応づけられ、符号「５」が空白文字（文字の消去）の表示に対応づけられ、符号「６」がカーソルの右方向の移動表示に対応づけられている。又、符号「７」がアルファベットの「Ｋ」，「Ｌ」，「Ｍ」，「Ｎ」，「Ｏ」の大文字及び小文字の表示に対応づけられ、符号「８」がアルファベットの「Ｐ」，「Ｑ」，「Ｒ」，「Ｓ」，「Ｔ」の大文字及び小文字の表示に対応づけられ、符号「９」がアルファベットの「Ｕ」，「Ｖ」，「Ｗ」，「Ｘ」，「Ｙ」，「Ｚ」の大文字及び小文字の表示に対応づけられている。又、符号「＊」がハイフンなどの各種記号の表示に対応づけられ、符号「＃」が入力の完了に対応づけられている。
【０１２４】
又、ユーザーＩＤやパスワードなどを入力する際には、それに応じて符号と各種文字とが対応づけられる。
そして、ＳＩＰサーバ７を利用するために必要な情報の入力が全て完了していない場合には（Ｓ８３５：Ｎｏ）、上述のＳ８３０へ再度移行する一方、完了した場合には（Ｓ８３５：Ｙｅｓ）、入力された情報をＳＩＰサーバ７を利用するために必要な情報として当該処理部１１に登録し（Ｓ８４０）、本処理を終了する。
【０１２５】
一方、上述のＳ８２０にて、確定された項目が「ＳＩＰサーバ」でない場合（つまり、「ログインサーバ」である場合）には（Ｓ８２０：Ｎｏ）、ログインサーバ８を利用するために必要な情報を入力するログインサーバ情報入力画面（図１９（ｃ）を参照）の表示指令を表示部１３及びＰＣ５へ出力する（Ｓ８４５）。
【０１２６】
そして、識別結果に応じた表示指令を表示部１３及びＰＣ５へ出力し（Ｓ８５０）、ログインサーバ８を利用するために必要な情報の入力が全て完了したか否かを判定する（Ｓ８５５）。
【０１２７】
ここで、本実施形態のログインサーバ情報入力画面では、例えば、ユーザーが希望するアドレス情報であるＳｋｙｐｅ（登録商標）名やパスワード、メールアドレスなどをログインサーバ８を利用するために必要な情報として入力する。
【０１２８】
又、ここでは、例えば、Ｓｋｙｐｅ（登録商標）名を入力する場合には、符号「２」〜「９」，「＊」，「＃」が所定の識別結果に設定されている。そして、符号「２」がアルファベットの「Ａ」，「Ｂ」，「Ｃ」，「Ｄ」，「Ｅ」の大文字及び小文字の表示に対応づけられ、符号「３」がアルファベットの「Ｆ」，「Ｇ」，「Ｈ」，「Ｉ」，「Ｊ」の大文字及び小文字の表示に対応づけられている。又、符号「４」がカーソルの左方向の移動表示に対応づけられ、符号「５」が空白文字（文字の消去）の表示に対応づけられ、符号「６」がカーソルの右方向の移動表示に対応づけられている。又、符号「７」がアルファベットの「Ｋ」，「Ｌ」，「Ｍ」，「Ｎ」，「Ｏ」の大文字及び小文字の表示に対応づけられ、符号「８」がアルファベットの「Ｐ」，「Ｑ」，「Ｒ」，「Ｓ」，「Ｔ」の大文字及び小文字の表示に対応づけられ、符号「９」がアルファベットの「Ｕ」，「Ｖ」，「Ｗ」，「Ｘ」，「Ｙ」，「Ｚ」の大文字及び小文字の表示に対応づけられている。又、符号「＊」がハイフンなどの各種記号の表示に対応づけられ、符号「＃」が入力の完了に対応づけられている。
【０１２９】
又、パスワードやメールアドレスなどを入力する際には、それに応じて符号と各種文字とが対応づけられる。
そして、ログインサーバ８を利用するために必要な情報の入力が全て完了していない場合には（Ｓ８５５：Ｎｏ）、上述のＳ８５０へ再度移行する一方、完了した場合には（Ｓ８５５：Ｙｅｓ）、入力された情報をログインサーバ８を利用するために必要な情報として当該処理部１１に登録し（Ｓ８６０）、本処理を終了する。
【０１３０】
次に、図２０は、処理部１１が実行する着信処理の流れを示すフローチャートである。尚、処理部１１は、電話機４のいずれも接続されていないときに、インターネット２から電話機４を呼び出す呼出要求を受信した際に、本処理を実行する。
【０１３１】
図２０に示すように、本処理では、まず、呼出要求の送信元の電話番号もしくはアドレス情報が当該処理部１１に着信拒否の対象として登録されているものか否かを確認し（Ｓ９００）、着信拒否の対象として登録されている場合には（Ｓ９００：Ｙｅｓ）、通話の確立を拒否する旨の応答を呼出要求の送信元へ送信して、通話の確立を拒否し（Ｓ９０５）、本処理を終了する。
【０１３２】
一方、着信拒否の対象として非登録である場合には（Ｓ９００：Ｎｏ）、呼出要求の送信元の電話番号もしくはアドレス情報を当該処理部１１に登録したのち（Ｓ９１０）、転送設定フラグがＯＮに設定されているか否かを確認する（Ｓ９１５）。
【０１３３】
ここで、転送設定フラグがＯＮに設定されている場合には（Ｓ９１５：Ｙｅｓ）、転送先として当該処理部１１に登録されている電話番号やアドレス情報に基づいて、転送先との通話を確立し（Ｓ９２０）、転送先との通話の終了に伴って本処理を終了する。
【０１３４】
一方、転送設定フラグがＯＮに設定されていない場合（つまり、ＯＦＦに設定されている場合）には（Ｓ９１５：Ｎｏ）、ＰＢＸ３を介して、電話機４に呼出音を鳴らさせたのち（Ｓ９２５）、電話機４のいずれかが接続されたか否か（つまり、オフフックとなったか否か）を確認する（Ｓ９３０）。
【０１３５】
ここで、電話機４のいずれかが接続された場合には（Ｓ９３０：Ｙｅｓ）、接続された電話機４と呼出要求の送信元との通話を確立し（Ｓ９３５）、通話の終了に伴って本処理を終了する。
【０１３６】
一方、電話機４のいずれも接続されていない場合には（Ｓ９３０：Ｎｏ）、呼出要求が終了したか否かを確認し（Ｓ９４０）、呼出要求が終了した場合には（Ｓ９４０：Ｙｅｓ）、本処理を直ちに終了する。
【０１３７】
一方、呼出要求が終了していない場合には（Ｓ９４０：Ｎｏ）、予め指定された所定時間が経過したか否かを判定し（Ｓ９４５）、所定時間が経過していない場合には（Ｓ９４５：Ｎｏ）、上述のＳ９２５へ再度移行する一方、所定時間が経過している場合には（Ｓ９４５：Ｙｅｓ）、留守電設定フラグがＯＮに設定されているか否かを確認する（Ｓ９５０）。
【０１３８】
ここで、留守電設定フラグがＯＮに設定されていない場合（つまり、ＯＦＦに設定されている場合）には（Ｓ９５０：Ｎｏ）、上述のＳ９２５へ再度移行する一方、留守電設定フラグがＯＮに設定されている場合には（Ｓ９５０：Ｙｅｓ）、呼出要求の送信元との通話を確立する（Ｓ９５５）。
【０１３９】
そして、予め設定された留守番電話メッセージの音声データを呼出要求の送信元へ送信したのち（Ｓ９６０）、呼出要求の送信元からの音声データを呼出要求の送信元の電話番号やアドレス情報に対応づけて当該処理部１１に記憶し（Ｓ９６５）、通話の終了に伴って本処理を終了する。
【０１４０】
以上のように、本実施形態のＩＰ電話アダプタ１では、電話機４から入力されるＤＴＭＦ信号に基づき、電話機４におけるダイヤル操作の内容を識別し、識別したダイヤル操作の内容に対応づけられた設定操作を行うため、ユーザは、ＰＣ５を用いることなく、電話機４のダイヤル操作によって、当該ＩＰ電話アダプタ１の設定を行うことができる。
【０１４１】
又、本実施形態のＩＰ電話アダプタ１では、設定操作に関わる各種情報を表示部１３や電話機４に対応づけられたＰＣ５に表示するため、ユーザは、情報を確認することによって、当該ＩＰ電話アダプタ１の設定を適切に行うことができる。
【０１４２】
又、本実施形態のＩＰ電話アダプタ１によれば、ユーザは、電話機４を用いて、ＳＩＰサーバ７及びログインサーバ８を利用可能に当該ＩＰ電話アダプタ１を設定できる。
又、本実施形態のＩＰ電話アダプタ１によれば、ユーザは、電話機４を用いて、履歴として通話対象を記憶できると共に、記憶された通話対象のいずれと通話するのかを選択し、選択した通話対象との通話を確立できる。このため、電話機４が通話対象を記憶し、記憶した通話対象のいずれと通話するのかを選択し、選択した通話対象との通話を確立する機能を備えていない場合に好適に用いることができる。
【０１４３】
又、本実施形態のＩＰ電話アダプタ１によれば、ユーザは、電話機４を用いて、通話対象からの音声を当該ＩＰ電話アダプタ１に適宜記憶させ、又、記憶させた音声を選択して、選択した音声を電話機４へ出力させることができる。このため、電話機４が通話対象からの音声を記憶し、記憶した音声を選択して、選択した音声を出力する機能を備えていない場合に好適に用いることができる。
【０１４４】
又、本実施形態のＩＰ電話アダプタ１によれば、ユーザは、電話機４を用いて、着信拒否の対象を当該ＩＰ電話アダプタ１に登録し、着信拒否を適宜行うことを設定できる。このため、電話機４が、着信拒否の対象を登録し、着信拒否を適宜行う機能を備えていない場合に好適に用いることができる。
【０１４５】
又、本実施形態のＩＰ電話アダプタ１によれば、ユーザは、電話機４を用いて、転送先を登録することにより、登録した転送先へ適宜通話を転送させることができる。このため、電話機４が、転送先を登録し、登録した転送先へ適宜通話を転送させる機能を備えていない場合に好適に用いることができる。
【０１４６】
尚、本実施形態では、識別部１５が本発明におけるダイヤル操作識別手段に相当し、処理部１１が本発明における設定操作手段、利用情報記憶手段、通話対象記憶手段、記憶通話確立手段、音声データ記憶手段、音声出力手段、通話対象履歴手段、履歴通話確立手段、拒否対象記憶手段、通話拒否手段、転送対象記憶手段、通話転送手段、表示指示手段に相当し、表示部１３が本発明における情報表示手段に相当する。
【０１４７】
以上、本発明の実施の形態について説明したが、本発明は、上記実施形態に何ら限定されることはなく、本発明の技術的範囲に属する限り種々の形態をとり得ることはいうまでもない。
【０１４８】
例えば、上記実施形態では、ＩＰ電話アダプタ１は、ＰＢＸ３を介して複数の電話機４のいずれか１つに接続するように設定されていたが、ＰＢＸ３の機能を有し、ＰＢＸ３を介さずに複数の電話機４に接続できるように構成されていても良い。
【０１４９】
又、図２１に示すように、ＰＢＸ３を介さずに、１つの電話機４に接続されても良い。尚、図２１は、上記実施形態の変形例の概要を示す説明図である。
又、上記実施形態では、ＩＰ電話アダプタ１は、インターネット２を介して、電話機４とインターネット２上の通話対象との通話を確立していたが、ＬＡＮ６を介して、電話機４同士の通話を確立するように設定されていても良い。
【０１５０】
又、上記実施形態では、識別結果と設定操作の内容とが上述のように対応づけられていたが、これに限らず、どのように対応づけられていても良い。
又、上記実施形態では、ＩＰ電話アダプタ１は、インターネット電話としてＳｋｙｐｅ（登録商標）を利用可能に設定されていたが、Ｓｋｙｐｅ（登録商標）以外のインターネット電話を利用可能に設定されていても勿論良い。
【図面の簡単な説明】
【０１５１】
【図１】本発明を適用したＩＰ電話アダプタ１の機能ブロック図である。
【図２】処理部１１が実行する設定操作処理の流れを示すフローチャートである。
【図３】処理部１１が設定操作処理にて表示部１３及びＰＣ５に表示させる画面の一例を示す説明図である。
【図４】処理部１１が実行する通話操作処理の流れを示すフローチャートである。
【図５】処理部１１が通話操作処理にて表示部１３及びＰＣ５に表示させる画面の一例を示す説明図である。
【図６】処理部１１が実行する登録操作処理の流れを示すフローチャートである。
【図７】処理部１１が登録操作処理にて表示部１３及びＰＣ５に表示させる画面の一例を示す説明図である。
【図８】処理部１１が実行する新規登録処理の流れを示すフローチャートである。
【図９】処理部１１が新規登録処理にて表示部１３及びＰＣ５に表示させる画面の一例を示す説明図である。
【図１０】処理部１１が実行する登録変更処理の流れを示すフローチャートである。
【図１１】処理部１１が登録変更処理にて表示部１３及びＰＣ５に表示させる画面の一例を示す説明図である。
【図１２】処理部１１が実行する留守番電話操作処理の流れを示すフローチャートである。
【図１３】処理部１１が留守番電話操作処理にて表示部１３及びＰＣ５に表示させる画面の一例を示す説明図である。
【図１４】処理部１１が実行する転送操作処理の流れを示すフローチャートである。
【図１５】処理部１１が転送操作処理にて表示部１３及びＰＣ５に表示させる画面の一例を示す説明図である。
【図１６】処理部１１が実行する着信拒否操作処理の流れを示すフローチャートである。
【図１７】処理部１１が着信拒否操作処理にて表示部１３及びＰＣ５に表示させる画面の一例を示す説明図である。
【図１８】処理部１１が実行するサーバ設定操作処理の流れを示すフローチャートである。
【図１９】処理部１１がサーバ設定操作処理にて表示部１３及びＰＣ５に表示させる画面の一例を示す説明図である。
【図２０】処理部１１が実行する着信処理の流れを示すフローチャートである。
【図２１】実施形態の変形例の概要を示す説明図である。
【符号の説明】
【０１５２】
１…ＩＰ電話アダプタ、２…インターネット、３…ＰＢＸ、４…電話機、５…ＰＣ、６…ＬＡＮ、７…ＳＩＰサーバ７、８…ログインサーバ、１１…処理部、１２…モデム部、１３…表示部、１４…変換部、１５…識別部、１６…Ｉ／Ｆ部。
【図１】
2007006009.tif 000003
【図２】
2007006009.tif 000004
【図３】
2007006009.tif 000005
【図４】
2007006009.tif 000006
【図５】
2007006009.tif 000007
【図６】
2007006009.tif 000008
【図７】
2007006009.tif 000009
【図８】
2007006009.tif 000010
【図９】
2007006009.tif 000011
【図１０】
2007006009.tif 000012
【図１１】
2007006009.tif 000013
【図１２】
2007006009.tif 000014
【図１３】
2007006009.tif 000015
【図１４】
2007006009.tif 000016
【図１５】
2007006009.tif 000017
【図１６】
2007006009.tif 000018
【図１７】
2007006009.tif 000019
【図１８】
2007006009.tif 000020
【図１９】
2007006009.tif 000021
【図２０】
2007006009.tif 000022
【図２１】
2007006009.tif 000023